(57)【要約】  本発明は、ローレンツ力補償により導電性流体の質量流量又は体積流量を非接触式に測定する方法及び装置に関する。本課題は、本発明によりフロー位置で磁界を発生させて、磁界と質量フロー又は体積フロー（ｖ１）の間の相対運動により生じるローレンツ力を検出し、磁界内の質量流量又は体積流量（ｖ１）が別の導電性流体又は既知の速度で運動する導電性の固体（４，５）の第二の既知の流量（ｖ２）と重畳されて、その既知の速度と測定したローレンツ力から測定すべき流体の流量が算出される、導電性流体の質量流量又は体積流量（ｖ１）を非接触式に測定する方法と、フロー位置で磁界を発生させて、磁界と質量フロー又は体積フロー（ｖ１）の間の相対運動により生じる力又はモーメント成分を検出し、この管状又は溝状の流路（１）に対して平行に、別の流体が流れる別の管状又は溝状の流路（２）が、磁石（３）の磁力線が両方の流路（１，２）を通り抜けるように配置され、測定した結果として生じるローレンツ力を処理する評価ユニットが配備されている、一つの流路（１）内を流れる導電性流体の質量フロー又は体積フローの速度（ｖ１）を非接触式に測定する装置とによって解決される。
2014526704.tif 000002
【特許請求の範囲】
【請求項１】
フロー位置で磁界を発生させて、その結果生じるローレンツ力を検出する、導電性流体の質量流量又は体積流量を非接触式に測定する方法において、
この磁界内の質量流量又は体積流量が、別の導電性流体又は既知の速度で運動する導電性の固体の第二の既知の流量と重畳されて、この第二の既知の流量又は固体の既知の速度と測定すべき流体の流量のローレンツ力測定の測定信号とから算出されることを特徴とする方法。
【請求項２】
当該の別の流体又は固体のフロー方向が測定すべき流体のフロー方向と逆であることを特徴とする請求項１に記載の方法。
【請求項３】
当該の結果として生じたローレンツ力が所定の値又は時間的な推移を取るように、当該の既知の流量を制御することを特徴とする請求項１又は２に記載の方法。
【請求項４】
当該のローレンツ力測定の測定信号がゼロとなるように、当該の既知の流量を制御することを特徴とする請求項３に記載の方法。
【請求項５】
当該の結果として生じたローレンツ力が所定の値又は時間的な推移を取るように、当該の導電性の固体の既知の運動を制御することを特徴とする請求項１又は２に記載の方法。
【請求項６】
当該のローレンツ力測定の測定信号がゼロとなるように、当該の導電性の固体の既知の運動を制御することを特徴とする請求項５に記載の方法。
【請求項７】
当該の一様な運動形態で運動する導電性の固体の導電率又は材料強度の所定の分布が、当該の結果として生じるローレンツ力の時間的に変化する推移を発生させることを特徴とする請求項１、２又は５に記載の方法。
【請求項８】
当該の既知の運動が回転運動であることを特徴とする請求項１、２、５、６又は７に記載の方法。
【請求項９】
フロー位置で磁界を発生させる磁石を備え、その磁界と質量フロー又は体積フローの間の相対運動により生じるローレンツ力を検出して、一つの管状又は溝状の流路（１）内を流れる導電性流体の質量流量又は体積流量を非接触式に測定する装置において、
この管状又は溝状の流路（１）の外に、別の流体が流れる別の管状又は溝状の流路（２）が、この磁石（３）の磁力線が両方の流路（１，２）を通り抜けるように配置されるとともに、測定したローレンツ力と別の流路（２）内の既知の、或いは測定した流量とを処理する評価ユニットが配備されていることを特徴とする装置。
【請求項１０】
磁石（３）として、永久磁石が用いられることを特徴とする請求項９に記載の装置。
【請求項１１】
当該の管状又は溝状の流路（１）に対して平行に、二つの別の管状又は溝状の流路（２．１，２．２）が配置されていることを特徴とする請求項９又は１０に記載の装置。
【請求項１２】
フロー位置で磁界を発生させる磁石を備え、その磁界と質量フロー又は体積フローの間の相対運動により生じるローレンツ力を検出して、一つの流路（１）内を流れる導電性流体の質量流量又は体積流量を非接触式に測定する装置において、
この磁石（３）の磁界によって、運動する導電性の部品が検出されるとともに、測定したローレンツ力とこの運動する部品の測定した、或いは既知の速度とを処理する評価ユニットが配備されていることを特徴とする装置。
【請求項１３】
当該の運動する導電性の部品が、導電率又は材料強度の所定の分布を有することを特徴とする請求項１２に記載の装置。
【請求項１４】
運動する導電性の部品として、流体のフロー方向に対して直角に配置された回転軸上を回転する円板（４）が使用されることを特徴とする請求項１２又は１３に記載の装置。
【請求項１５】
追加の回転する円板（４．２）が配置されていることを特徴とする請求項１４に記載の装置。
【請求項１６】
当該の回転する円板（４．１）と追加の回転する円板（４．２）が同じ角速度で駆動されることを特徴とする請求項１５に記載の装置。
【請求項１７】
当該の運動する導電性の部品が中空円筒（５）の形状をしており、流体のフロー方向に対して直角に配置された回転軸上を回転することを特徴とする請求項１２又は１３に記載の装置。
【発明の詳細な説明】
【技術分野】
【０００１】
本発明は、ローレンツ力補償により導電性流体の質量流量又は体積流量を非接触式に測定する方法及び装置に関する。
【背景技術】
【０００２】
金属、半導体及びガラスの溶融物では、侵食が測定センサーを破壊させるので、羽根車、ピトー管等の従来の測定方法による流速の測定は不可能である。特許文献１〜４により、導電性流体を複数の流路内に流す特別な形の磁気誘導式流量計が知られている。しかし、測定信号の補償を目的とした部分流量の所定通りの調節は行なわれていない。特許文献１には、測定動特性を向上させるために、如何にしてフローを状況に応じて同じ方向であるが、異なる強さの二つの部分フローに分割して、二つの異なる測定システムで検出するのかが記載されている。特許文献２では、電極の分極の問題が機械運動式磁石により解決されており、電気信号の収率を向上させるために、同じ方向に貫流する複数の隣接する部分フローパスが直列構成に接続された電極によって繋がれている。特許文献３でも、部分信号を合算又は独立して再処理するために、流体力学的に分割された部分フローがそれぞれ電極と接触している。特許文献４は、ほぼ同じ大きさの流入量と還流量の差分として微細濾過速度を計測する装置を記載している。両方の流量は、それぞれ磁気誘導式流量計により計測されているが、同じ磁界内を逆方向に流れるフローが生じている。それによって、電極の電圧差を直接タップオフして、処理することが可能となっている。この電圧差は、測定すべき小さい流量差に関する尺度となっている。
【０００３】
これらの導電性流体を測定するための磁気誘導式流量計も常に媒体と接触する電極が必要である。これらの電極は、侵食的な媒体によって望ましくない影響を受ける。そのため、高温の溶融物に対しては、非接触式電磁フロー測定方法が使用されている。
【０００４】
特許文献５は、如何にして二つの移送フロー管内の流量測定により、一方の炉から他方の炉へ、並びにそこから鋳型への移送フロー時における液状の金属溶融物に関する充填レベル制御及び鋳込速度の制御動特性を改善できるのかを記載している。これら二つの別個の独立して実現された流量測定器の動作手法は開示されているが、特許文献６によるローレンツ力アネモメータを用いた測定の可能性も示唆されている。
【０００５】
特許文献７には、ローレンツ力アネモメータ測定法と呼ばれる非接触式電磁測定方法が記載されている。この方法は、管又は溝内を運動する導電性物質の非接触式検査を行なうものである。それは、磁石システムによるフロー位置での磁界の生成とフローが磁石システムに作用するローレンツ力の測定とに関する。柔軟に使用可能な磁石システムを用いて、検査すべき物質に一次磁界を入力結合させて、好適な測定システムにより、一次磁界と検査すべき物質の間の相対運動により発生する磁石システムに作用する力及びモーメント成分を検出している。
【０００６】
同様の方法が、特許文献８〜１０に提示されている。
【０００７】
これらの方法の欠点は、測定した力及びモーメント成分の形で得られるローレンツ力の測定信号が速度だけでなく、磁界の強さにも依存することである。磁界の強さが磁石材料の温度変動又は劣化現象により変化した場合、測定誤差が生じる。更に、多くの場合、既存の外部磁界「妨害磁界」が存在する下でフロー測定を行なわなければならない。それは、例えば、アルミニウム還元セル内で液状のアルミニウムのフロー測定を行なう場合である。アルミニウム還元セル内では、０．１テスラオーダーの均一な磁界が支配的であり、その磁界が速度に依存しない大きな引力をローレンツ力アネモメータの磁石システムに加えて測定品質を悪化させるために、このローレンツ力アネモメータ測定法による測定は困難である。特許文献１０では、外部の妨害磁界を排除するために、更に、ヘルムホルツコイル対を取り付けることが提案されている。このコイル対の内部で外部磁界を補償することが可能となっている。
【先行技術文献】
【特許文献】
【０００８】
【特許文献１】ドイツ特許公開第１０２００９００６７３３号明細書
【特許文献２】ドイツ特許公開第００００１９６１２８１号明細書
【特許文献３】米国特許第０００００６６３０２８５号明細書
【特許文献４】ドイツ特許公開第１０２０１０００３６４２号明細書
【特許文献５】ドイツ特許公開第１０２００９０５７８６１号明細書
【特許文献６】国際特許公開第２００７／０３３９８２号明細書
【特許文献７】ドイツ特許公開第１０２００５０４６９１０号明細書
【特許文献８】特開昭５７−１９９９１７号公報
【特許文献９】国際特許公開第００／５８６９５号明細書
【特許文献１０】ドイツ特許公開第１０２００７０４６８８１号明細書
【発明の概要】
【発明が解決しようとする課題】
【０００９】
本発明の課題は、前述した測定誤差を防止する方法及び装置を提示することである。
【課題を解決するための手段】
【００１０】
本課題は、本発明による請求項１に記載された特徴を有する方法及び請求項９又は１２に記載された特徴を有する装置によって解決される。
【００１１】
本発明の有利な実施形態は従属請求項の対象となっている。
【００１２】
磁界内の測定すべき未知の流量（質量流量又は体積流量）ｖ１は、容易に取扱可能な導電性の流体又は既知の速度で運動する導電性の固体の第二の既知の流量ｖ２と重畳される。この重畳によって、その結果得られたローレンツ力が未知の流量により生じたローレンツ力と第二の既知の流量又は固体の既知の速度による力が重畳された力となる。この結果として得られたローレンツ力は、所定の一定の値に制御することによって、調整するか、或いは時間的な推移を目的通り生じさせることが可能である。
【００１３】
ここで既知の、或いは明らかに容易に測定できる流量ｖ２から、求める流量ｖ１を非常に簡単に計算することができる。
【００１４】
有利な実施形態は、そのローレンツ力が消失するように、この既知の流量をローレンツ力を補償するために使用するものと規定する。そのために、ローレンツ力測定の測定信号がゼロとなるように、流量を制御しなければならい。
【００１５】
更に、そのローレンツ力が消失するように、導電性の固体の既知の運動をローレンツ力を補償するために使用することが可能である。この場合、ローレンツ力測定の測定信号がゼロとなるように、その運動が制御される。
【００１６】
当業者には、そのような制御の好適な実施構成は良く知られている。
【００１７】
この有利な形の運動は、その運動がエンドレスに進行するので、回転運動である。固体の運動方向は、流体の運動方向と逆であり、その大きさは、具体的な実施形態と導電率に依存する。
【００１８】
そのため、場合によっては侵食的な媒体の流量測定が、流体外の速度又は角速度の測定にフィードバックされる。
【００１９】
ここで既知の、或いは明らかに容易に測定できる速度と測定したローレンツ力から、そのために配備された評価ユニットでの計算によって、求める流量を決定することができる。
【００２０】
入力信号が既知の場合に、ローレンツ力測定の出力信号の大きさを決定することによって、この既知の流量又は既知の運動をローレンツ力アネモメータの特性曲線を求めるために使用することもできる。それは、特性曲線上の任意の多数の点で行なうことができる。直線的な特性曲線に関しては、少なくとも二つの点が必要である。
【００２１】
以下において、図面に基づき本発明の実施例を詳しく説明する。
【図面の簡単な説明】
【００２２】
【図１】一つの追加流体による構成図
【図２】二つの追加流体による構成図
【図３】一つの回転円板による構成図
【図４】二つの回転円板による構成図
【図５】一つの回転する中空円筒による構成図
【発明を実施するための形態】
【００２３】
全ての図面において、互いに対応する部分には、同じ符号が付与されている。
【００２４】
図１には、調査すべき流体が一つの管状又は溝状の流路１内を計測すべき速度ｖ１で流れる構成が図示されている。この流路１に対して平行に、流速がｖ２である別の流体が貫流する別の管状又は溝状の流路２が配置されている。磁石３の磁界が両方の流路を通り抜けている。検出すべき未知の流速ｖ１は、容易に取扱可能な導電性流体の第二の流速ｖ２と重畳している。当業者には、容易に取扱可能な導電性流体、例えば、電解液又は少し溶解した金属及び合金は周知である。この既知の、或いは明らかに容易に測定できる流速ｖ２と測定したローレンツ力から、調べる流速ｖ１を非常に容易に計算することができる。ここでは図示されていない評価ユニットが、その役割を果たし、そのユニットを用いて、計測すべき流速ｖ１の尺度である、その結果生じる磁気流量又はそれにより生じるローレンツ力を決定する。
【００２５】
流路１と追加の流路２の横断面は、同じ又は異なる形で実現することができる。水平又は垂直方向の立体的な構成は、同じ形で実現することができる。
【００２６】
図２は、二つの別の管状又は溝状の流路２．１と２．２が取り付けられた実施構成を図示している。それによって、検出すべき流体の磁気作用の二つの基準流量とそのため作用するローレンツ力とを重畳することができる。この実施形態は、有利には、磁界特性が非直線的である構成を調査するために使用することができる。
【００２７】
基準流量の代わりに、円板４の形の運動する導電性の部品を使用する実施構成が図３に図示されている。この円板４は、流体のフロー方向に対して直角に配置された回転軸上を回転する。
【００２８】
図４は、回転する円板４．１と追加の回転する円板４．２が共通の軸上に配置された実施構成を図示している。
【００２９】
図５に図示された実施構成では、中空円筒５がフロー軸に対して直角に配置された回転軸の周りを回転しており、その結果、この中空円筒５の外殻面が磁石３の磁界によって検出される。
【符号の説明】
【００３０】
１    調査すべき流体用の管状又は溝状の流路
２    別の流体用の管状又は溝状の流路
２．１，２．２    別の流路
３    磁石
４    回転円板
４．１    回転する円板
４．２    追加の回転する円板
５    中空円筒
ｖ１  調査すべき流体の流速
ｖ２  別の流体の流速
Ｓ    磁石のＳ極
Ｎ    磁石のＮ極
【図１】
2014526704.tif 000003
【図２】
2014526704.tif 000004
【図３】
2014526704.tif 000005
【図４】
2014526704.tif 000006
【図５】
2014526704.tif 000007
【国際調査報告】
2014526704.tif 000008
2014526704.tif 000009
2014526704.tif 000010
2014526704.tif 000011